(57)【要約】【課題】配管などの長手部材を囲繞するカバー部材に設けられる切欠き部の強度を高めることができ、且つ外観不良を改善することが可能な切欠き補強部材を提供する。【解決手段】配管カバー（２００）には、雄型嵌合部（２０３）と雌型嵌合部（２１３）とに亘って、矩形状の切欠き（２４０）が設けられる。この切欠き（２４０）に対して、雄型嵌合部の切欠きの端部に固定される雄型部材（２０）と、雌型嵌合部（２１３）の切欠きの端部に固定される雌型部材（３０）とから構成される切欠き補強部材（１０）を設ける。このような切欠き補強部材（１０）を設けることにより、雄型部材（２０）と雌型部材（３０）の嵌合強度を高めることができ、且つ外観不良を改善することができる。【選択図】図１
2015158265.tif 000002
【特許請求の範囲】
【請求項１】
長手部材を囲繞するカバー部材に設けられ、前記長手部材を外部に設けられた部材に固定するための固定部材を貫通させる矩形状の切欠き部を補強する切欠き補強部材であって、
前記切欠き部の一方側端部に固定され、第１開口を有する第１部材と、
前記切欠き部の他方側端部に固定され、前記第１開口とともに、前記固定部材を貫通させる第２開口を有し、前記第１部材と係合する係合部を有する第２部材とを含む、切欠き補強部材。
【請求項２】
前記係合部は前記第２開口を挟んで設けられた第１係合部と第２係合部とを含み、
前記第１係合部と前記第２係合部との形状が異なる、請求項1に記載の切欠き補強部材。
【請求項３】
前記カバー部材は、長手方向に延在し、相互に嵌合可能な一方側嵌合部と他方側嵌合部とを含み、
前記切欠き部は、前記一方側嵌合部と前記他方側嵌合部とに亘って設けられる、請求項１または２に記載の切欠き補強部材。
【請求項４】
前記第２部材の係合部が前記第１部材と係合することにより、前記第１部材および前記第２部材が動きを抑制される方向は、前記一方側嵌合部と前記他方側端部との嵌合を取り外し可能な方向である、請求項３に記載の切欠き補強部材。
【請求項５】
前記第１部材は、前記カバー部材の外方向に延在する第１外方向部材と、前記カバー部材に沿う周方向に延在する第１周方向部材とを含み、
前記第１開口は前記第１周方向部材に設けられ、
前記第２部材は、前記カバー部材の外方向に延在する第２外方向部材と、前記カバー部材に沿う周方向に延在する第２周方向部材とを含み、
前記第２開口は前記第２周方向部材に設けられ、
前記係合部は前記第２外方向部材に設けられる、請求項１〜４のいずれかに記載の切欠き補強部材。
【請求項６】
前記第１周方向部材は、前記カバー部材の外面の周方向に沿う第１外面周方向部材と、内面の周方向に沿う第１内面周方向部材とを含み、
前記第２周方向部材は、前記カバー部材の外面の周方向に沿う第２外面周方向部材と、内面の周方向に沿う第２内面周方向部材とを含む、請求項５に記載の切欠き補強部材。
【請求項７】
前記第１外方向部材は、前記カバー部材の外方向端部において雄型部を有し、
前記第２外方向部材に設けられる前記係合部は、前記雄型部に係合する雌型部を有する、請求項５または６に記載の切欠き補強部材。
【発明の詳細な説明】
【技術分野】
【０００１】
この発明は、配管などを囲繞するカバー部材の切欠きに設けられる切欠き補強部材に関する。
【背景技術】
【０００２】
従来から、配管などの長手部材を囲繞するカバー部材として、長手部材を壁などの外部に設けられた部材に固定するための固定部材を貫通させる矩形状の切欠き部が設けられるものが知られている。上記したようなカバー部材が、たとえば、特開平７−１９５２９号公報（特許文献１）に開示されている。
【０００３】
特許文献１には、固定部材によって壁などの設置対象物に間隔を空けた状態で固定される配管に対して設けられる、径方向に分割可能な配管カバーが開示されている。この配管カバーを構成する分割部材どうしの突合せ部の一部に矩形状の切欠き部が設けられる。このような切欠き部を設けたのは、上記した固定部材を貫通させるためである。
【先行技術文献】
【特許文献】
【０００４】
【特許文献１】特開平７−１９５２９号公報
【発明の概要】
【発明が解決しようとする課題】
【０００５】
特許文献１に開示された配管カバーには、上記したような切欠き部が設けられていた。しかしながら、この切欠き部は、鋸などを用いて手作業で設けられるため、所望の寸法よりも大きくなり過ぎて強度が不十分になるという問題があった。さらに、端部が波打ったりするなどの外観不良が生じてしまうという問題もあった。
【０００６】
この発明は上記した問題に鑑みてなされたものであり、配管などの長手部材を囲繞するカバー部材に設けられる切欠き部の強度を高めることができ、且つ外観不良を改善することが可能な切欠き補強部材を提供することを目的とする。
【課題を解決するための手段】
【０００７】
この発明に係る切欠き補強部材は、長手部材を囲繞するカバー部材に設けられ、長手部材を外部に設けられた部材に固定するための固定部材を貫通させる矩形状の切欠き部を補強する切欠き補強部材であって、切欠き部の一方側端部に固定され、第１開口を有する第１部材と、切欠き部の他方側端部に固定され、第１開口とともに、固定部材を貫通させる第２開口を有し、第１部材と係合する係合部を有する第２部材とを含む。
【０００８】
係合部は第２開口を挟んで設けられた第１係合部と第２係合部とを含み、第１係合部と第２係合部との形状が異なるのが好ましい。
【０００９】
好ましくは、カバー部材は、長手方向に延在し、相互に嵌合可能な一方側嵌合部と他方側嵌合部とを含み、切欠き部は、一方側嵌合部と他方側嵌合部とに亘って設けられる。
【００１０】
さらに好ましくは、第２部材の係合部が第１部材と係合することにより、第１部材および第２部材が動きを抑制される方向は、一方側嵌合部と他方側端部との嵌合を取り外し可能な方向である。
【００１１】
好ましくは、第１部材は、カバー部材の外方向に延在する第１外方向部材と、カバー部材に沿う周方向に延在する第１周方向部材とを含み、第１開口は第１周方向部材に設けられ、第２部材は、カバー部材の外方向に延在する第２外方向部材と、カバー部材に沿う周方向に延在する第２周方向部材とを含み、第２開口は第２周方向部材に設けられ、係合部は第２外方向部材に設けられる。
【００１２】
さらに好ましくは、第１周方向部材は、カバー部材の外面の周方向に沿う第１外面周方向部材と、内面の周方向に沿う第１内面周方向部材とを含み、第２周方向部材は、カバー部材の外面の周方向に沿う第２外面周方向部材と、内面の周方向に沿う第２内面周方向部材とを含む。
【００１３】
好ましくは、第１外方向部材は、カバー部材の外方向端部において雄型部を有し、第２外方向部材に設けられる係合部は、雄型部に係合する雌型部を有する。
【発明の効果】
【００１４】
この発明に係る切欠き補強部材は、カバー部材の一方側端部と他方側端部に亘って設けられる切欠き部の一方側端部に固定され、第１開口を有する第１部材と、切欠き部の他方側端部に固定され、第１開口とともに固定部材を貫通させる第２開口を有し、第１部材と係合する係合部を有する第２部材とを備える構成とした。その結果、配管などの長手部材を囲繞するカバー部材に設けられる切欠き部の強度を高めることができ、且つ外観不良を改善することが可能な切欠き補強部材を提供できる。
【図面の簡単な説明】
【００１５】
【図１】この発明の実施の形態に係る切欠き補強部材が、配管カバーの切欠きに設けられた状態を示す概略斜視図である。
【図２】この発明の一実施の形態に係る切欠き補強部材が備える雄型部材を、配管カバーにおける長手方向の中央付近で切断した場合を示す断面図である。
【図３】この発明の一実施の形態に係る切欠き補強部材が備える雄型部材の平面図である。
【図４】この発明の一実施の形態に係る切欠き補強部材が備える雌型部材を、配管カバーにおける長手方向の中央付近で切断した場合を示す断面図である。
【図５】この発明の一実施の形態に係る切欠き補強部材が備える雌型部材の平面図である。
【図６】この発明の一実施の形態に係る切欠き補強部材を構成する雄型部材と雌型部材が互いに係合される前の状態を示す、図１における切欠き補強部材周辺の斜視図である。
【図７】この発明の一実施の形態に係る切欠き補強部材を構成する雄型部材と雌型部材が互いに係合された状態を示す、図１における切欠き補強部材の周辺の拡大図である。
【図８】この発明の一実施の形態に係る切欠き補強部材を構成する雄型部材と雌型部材が互いに係合した状態の平面図である。
【図９】この発明の他の実施の形態に係る切欠き補強部材を構成する雄型部材と雌型部材が互いに係合される前の状態を示す、切欠き補強部材周辺の斜視図である。
【図１０】この発明の他の実施の形態に係る切欠き補強部材が備える雄型部材を、配管カバーにおける長手方向の中央付近で切断した場合を示す断面図である。
【図１１】この発明の他の実施の形態に係る切欠き補強部材が備える雌型部材を、配管カバーにおける長手方向の中央付近で切断した場合を示す断面図である。
【図１２】この発明のさらに他の実施の形態に係る切欠き補強部材について、図６に対応した図である。
【図１３】この発明のさらに他の実施の形態に係る切欠き補強部材について、図７に対応した図である。
【図１４】この発明のさらに他の実施の形態に係る切欠き補強部材が備える第１部材を、配管カバーにおける長手方向の中央付近で切断した場合を示す断面図である。
【図１５】この発明のさらに他の実施の形態に係る切欠き補強部材が備える第１部材の平面図である。
【図１６】この発明のさらに他の実施の形態に係る切欠き補強部材を示す図である。
【発明を実施するための形態】
【００１６】
以下、この発明の実施の形態について図面を参照して説明する。図１は、この発明の一実施の形態に係る切欠き補強部材が、配管カバーの切欠きに設けられた状態の概略斜視図である。なお、ここでは理解の容易のために、配管および配管カバーを同一の面（図中上側の面）で切断して示してある。図１を参照して、この実施の形態に係る切欠き補強部材１０は、配管Ｐを囲繞する配管カバー２００の図中破線で示す矩形状の切欠き２４０の周方向における両端部に取り付けられ、切欠き２４０の全体を覆い隠すように設けられる。すなわち、図示するように、配管カバー２００を径方向の外側から見たとき、切欠き２４０が見えない状態で切欠き補強部材１０が設けられる。
【００１７】
この配管カバー２００は、雄型カバー部材２０１および雌型カバー部材２１１により構成される。雄型カバー部材２０１および雌型カバー部材２１１の双方は、円筒を長手方向に沿って半分に切断した形状である。雄型カバー部材２０１は、周方向の両端部において、径方向の内側に向かって突出し、長手方向に延在する雄型嵌合部２０３ａ，２０３ｂを有する。また、雌型カバー部材２１１は、周方向の両端部において、雄型嵌合部２０３ａ，２０３ｂと各々嵌合するためのＵ字形状を有し、長手方向に延在する雌型嵌合部２１３ａ，２１３ｂを有する。このような構造の雄型カバー部材２０１と雌型カバー部材２１１が互いに嵌合することにより、配管カバー２００は、配管Ｐを囲繞可能な円筒形状となる。
【００１８】
上記したように、配管カバー２００には矩形状の切欠き２４０が設けられる。この切欠き２４０は、雄型嵌合部２０３と雌型嵌合部２１３とに亘って、鋸などを用いて手作業で切欠くことにより設けられる。なお、この切欠き２４０は、配管Ｐを壁面などの設置対象物から間隔を空けた状態で固定できるよう、設置対象物から突出して取り付けられる固定部材Ｆを貫通させるために設けられる。この固定部材Ｆを図中に一点鎖線で示す。
【００１９】
しかしながら、このような切欠き２４０は、雄型嵌合部２０３および雌型嵌合部２１３の一部を切欠いて設けられるため、雄型嵌合部２０３と雌型嵌合部２１３の嵌合強度が低下してしまうという問題が生じる。また、鋸などを用いて手作業で設けられるため、所望の寸法よりも大きくなり過ぎたり、端部が波打ったりするなどの外観不良が生じ易い。
【００２０】
そこで、切欠き２４０に対して、雄型部材２０（第１部材）と、雌型部材３０（第２部材）とから構成される切欠き補強部材１０を設けることにより、上記した問題を解消する。図示するように、固定部材Ｆはこの切欠き補強部材１０の開口４０、および切欠き２４０を貫通する。
【００２１】
図２は、図１で示した雄型部材２０を、配管カバー２００における長手方向の中央付近で切断した断面図である。また、図３は、図２のＩＩＩ−ＩＩＩ矢視図、すなわち雄型部材２０の平面図である。図１〜図３を参照して、雄型部材２０は、配管カバー２００の外面の周方向に沿って延在し、曲率を有する外面周方向部材２１と、配管カバー２００の内面の周方向に沿って延在し、外面周方向部材２１と同一の曲率を有する内面周方向部材２７と、外面周方向部材２１と内面周方向部材２７とを接続する接続部２８と、外面周方向部材２１の、配管カバー２００における長手方向の両端部に設けられ、配管カバー２００における径方向の外側に向かう方向（カバー部材の外方向）に延在する雄型部２２ａ，２２ｂ（第１外方向部材）とを含む。
【００２２】
外面周方向部材２１、内面周方向部材２７、および接続部２８の間には、外面周方部材２１および内面周方向部材２７に平行して長手の溝２５が形成される。図１に示した雄型カバー部材２０１の切欠き２０４の周方向端部に対して、この溝２５を挿入する。こうすることにより、切欠き２０４の周方向端部に対して、容易に雄型部材２０を固定することが可能となる。また、図３で示すように、外面周方向部材２１には、雄型部２２ａ，２２ｂの間において、配管カバー２００における長手方向に延在する開口２９が設けられる。雄型部材２０は上記した構成を有することにより、図３で示すように、配管カバー２００における径方向の外側から見たときコの字形状である。
【００２３】
図４は、図１で示した雌型部材３０を、配管カバー２００における長手方向の中央付近で切断した断面図である。また、図５は、図４のＶ−Ｖ矢視図、すなわち雌型部材３０の平面図である。図１〜図５を参照して、雌型部材３０は、配管カバー２００の外面の周方向に沿って延在し、曲率を有する外面周方向部材３１と、配管カバー２００の内面の周方向に沿って延在し、外面周方向部材３１と同一の曲率を有する内面周方向部材３７と、外面周方向部材３１と内面周方向部材３７とを接続する接続部３８と、外面周方向部材３１の、配管カバー２００における長手方向の両端部に設けられ、配管カバー２００における径方向の外側に向かう方向（カバー部材の外方向）に延在する雌型部３２ａ，３２ｂ（第２外方向部材）とを含む。雌型部３２ａ，３２ｂは、配管カバー２００における径方向の外側に向かう方向の端部において、上記した雄型部２２ａ，２２ｂと係合するためのＵ字形状を有する。
【００２４】
外面周方向部材３１、内面周方向部材３７、接続部３８の間には、外面周方部材３１および内面周方向部材３７に平行して長手の溝３５が形成される。図１で示した雌型カバー部材２１１の切欠き２１４の周方向端部に対して、この溝３５を挿入する。こうすることにより、切欠き２１４の周方向端部に対して、容易に雌型部材３０を固定することができる。また、図５で示すように、外面周方向部材３１には、雌型部３２ａ，３２ｂの間において、配管カバー２００における長手方向に延在する開口３９が設けられる。雌型部材３０は上記した構成を有することにより、図５で示すように、配管カバー２００における径方向の外側から見たときコの字形状である。
【００２５】
次に、図６〜図８を用いて、配管カバー２００に対して、この実施の形態に係る切欠き補強部材１０を取り付ける方法について説明する。図６は、この実施の形態に係る切欠き補強部材１０を構成する雄型部材２０と雌型部材３０が互いに係合される前の状態を示す、図１における切欠き補強部材１０周辺の斜視図である。なお、この図６、さらには後に説明する図７〜図９、図１２、図１３では、理解の容易のために、配管カバー２００に設けられる切欠き２０４，２１４，２４０の長手方向の両端部は、径方向の外側から見て、切欠き補強部材１０，６０，１３０に隠れていない状態を示している。このような状態で切欠き補強部材１０，６０，１３０を設けてもよいが、図１で示したように、切欠き補強部材１０，６０，１３０により隠れた状態で設けることが好ましい。
【００２６】
図１〜図６を参照して、まず、雄型カバー部材２０１の切欠き２０４の周方向端部に対して、雄型部材２０の溝２５を挿入するとともに、雌型カバー部材２１１の切欠き２１４の周方向端部に対して、雌型部材３０の溝３５を挿入する。
【００２７】
こうすることにより、切欠き２０４の周方向端部に対して、雄型部材２０を容易に固定できるともに、切欠き２１４の周方向端部に対して、雌型部材３０を容易に固定できる。
【００２８】
なお、雄型部材２０および雌型部材３０は、柔軟性を有する樹脂などで形成されることが好ましい。さらに、溝２５，３５の大きさは、切欠き２０４の周方向端部、切欠き２１４の周方向端部に対して若干小さくすることが好ましい。こうすることにより、切欠き２０４の周方向端部、切欠き２１４の周方向端部に対して、雄型部材２０、雌型部材３０をより強固に固定することができる。
【００２９】
次に、雄型カバー部材２０１と雌型カバー部材２１１を、図中白抜き矢印で示す方向、すなわち互いに近づく方向に動かし、雄型嵌合部２０３ａ，２０３ｂと雌型嵌合部２１３ａ,２１３ｂの各々を嵌合させる。このとき、図１で示した配管Ｐを囲繞するように、且つ固定部材Ｆが、切欠き２０４および切欠き２１４、並びに開口２９および開口３９を貫通するようにして嵌合させる。なお、見た目の煩雑さを避けるため、図６、さらには図７〜９において、固定部材Ｆの図示を省略してある。
【００３０】
最後に、雄型部材２０の備える雄型部２２ａ，２２ｂを、雌型部材３０の備える雌型部３２ａ，３２ｂに係合させる。図７は、このときの状態を示す斜視図である。このように、雄型部２２ａ，２２ｂを雌型部３２ａ，３２ｂに係合させると、雄型部２２ａ，２２ｂは、配管カバー２００における周方向において、雌型部３２ａ，３２ｂのＵ字形状により完全に包囲される。したがって、雄型カバー部材２０１と雌型カバー部材２１１が周方向において離れる方向に動くことを阻害できる。
【００３１】
さらに、雄型部２２ａ，２２ｂの、配管カバー２００における径方向の外側に向かう方向の端部は、雌型部３２ａ，３２ｂのＵ字形状により完全に包囲される。その結果、雄型部２２ａ，２２ｂと雌型部３２ａ，３２ｂとが係合することにより、雄型部２２ａ，２２ｂは、配管カバー２００における径方向の外側に向かう方向への動きを抑制される。また、雌型部３２ａ，３２ｂは、配管カバー２００における径方向の内側に向かう方向への動きを抑制される。
【００３２】
ここで、雄型嵌合部２０３ａと雌型嵌合部２１３ａとの嵌合を取り外す場合は、まず、雄型カバー部材２０１を径方向の外側に向かって変形させることにより、雄型嵌合部２０３ａを図中手前側、すなわち配管カバー２００における径方向の外側に向かう方向に動かすか、あるいは、雌型カバー部材２１１を径方向の内側に向かって変形させることにより、雌型嵌合部２０４ａを図中奥側、すなわち配管カバー２００における径方向の内側に向かう方向に動かす必要がある。
【００３３】
すなわち、上記したように、雄型部２２ａ，２２ｂの、配管カバー２００における径方向の外側に向かう方向の端部が、雌型部３２ａ，３２ｂのＵ字形状により完全に包囲されることにより、雄型嵌合部２０３ａと雌型嵌合部２１３ａとの嵌合の取り外しを阻害することができる。つまりは、雄型部材２０と雌型部材３０との係合により、雄型部材２０および雌型部材３０が動きを抑制される方向は、雄型嵌合部２０３ａと雌型嵌合部２１３ａとの嵌合を取り外し可能な方向である。その結果、切欠き２４０を設けて雄型嵌合部２０３ａと雌型嵌合部２１３ａとの嵌合強度が低下してしまうという問題を解消できる。
【００３４】
すなわち、雄型嵌合部２０３ａおよび雌型嵌合部２１３ａの一部を切欠いて切欠き２４０を設けることにより、雄型嵌合部２０３ａと雌型嵌合部２１３ａの嵌合強度が低下してしまうという問題を解消できる。なお、雄型部材２０および雌型部材３０を、柔軟性を有する樹脂などで形成することにより、容易に雄型部２２ａ，２２ｂを雌型部３２ａ，３２ｂに係合させることができる。
【００３５】
図８は、図７のＶＩＩＩ−ＶＩＩＩ矢視図、すなわち配管カバー２００の切欠き２４０に取り付けられた状態の切欠き補強部材１０の平面図である。図１〜図８を参照して、切欠き補強部材１０の開口４０は、配管カバー２００の径方向の外側から見て、配管カバー２００の切欠き２４０に内包された状態となる。すなわち、切欠き２４０と開口４０とが連なった貫通孔が形成される。この貫通孔を図１で示した固定部材Ｆが貫通する。
【００３６】
上記したように、切欠き補強部材１０を、配管カバー２００の切欠き２４０に取り付けることにより、配管カバー２００の径方向の外側から見て、切欠き２４０の周方向の両端部が見えなくなる。すなわち、鋸などを用いて手作業で設けられることにより、端部が波打つなどした切欠き２４０の外観不良を解消できる。
【００３７】
次に、図９〜図１１を用いて、この発明の他の実施の形態に係る切欠き補強部材について説明する。なお、雄型部２２ａ，２２ｂおよび雌型部３２ａ，３２ｂを除いて、図１〜図８を用いて説明した切欠き補強部材１０と同様の構成であるため、同一の部分には同じ参照番号を付し、同様となる説明は省略する。
【００３８】
図９は、この実施の形態に係る切欠き補強部材６０を構成する雄型部材７０と雌型部材８０が互いに係合される前の状態を示す、先の実施の形態における図６に対応する切欠き補強部材６０周辺の斜視図である。
【００３９】
図９を参照して、この実施の形態に係る切欠き補強部材６０を構成する雄型部材７０および雌型部材８０は、配管カバー２００における長手方向にスライドさせることにより互いに係合する雄型部７２ａ，７２ｂおよび雌型部８２ａ，８２ｂを有する。
【００４０】
図１０は、この実施の形態に係る雄型部材７０を、配管カバー２００における長手方向の中央付近で切断した断面図であり、先の実施の形態における図２に対応する図である。図９および図１０を参照して、雄型部７２ｂは、配管カバー２００における径方向の外側に向かう方向に延在し、さらにこの延在した端部において、配管カバー２００における周方向であって雌型部材３０に向かう方向に延在する逆Ｌ字型の形状である。なお、もう一方の雄型部７２ａについても同様である。
【００４１】
図１１は、この実施の形態に係る雌型部材８０を、配管カバー２００における長手方向の中央付近で切断した断面図であり、先の実施の形態における図４に対応する図である。図９〜図１１を参照して、雌型部材８０の雌型部８２ｂは、配管カバー２００における周方向において、外面周方向部材３１につながる下部周方向部材８４ｂと、その上方に、下部周方向部材８４ｂとほぼ平行に設けられた上部周方向部材８３ｂとを含む。下部周方向部材８４ｂと上部周方向部材８３ｂとの間に形成される溝８５ｂに沿って雄型部７２ｂは長手方向に移動可能である。なお、もう一方の雌型部８２ａについても同様である。
【００４２】
雄型部材７０と雌型部材８０とを相対的に長手方向にスライドさせて、雄型部７２ａと雌型部８２ａとを係合させるとともに、雄型部７２ｂと雌型部８２ｂとを係合させることにより、雄型部材７０と雌型部材８０とが互いに配管カバー２００における径方向に移動しないように固定できる。なお、雄型部７２の長手方向における位置決めのために、溝８５の長手方向のいずれか一方側の端部にストッパを設けてもよい。
【００４３】
ここで、図１で示したように、雄型嵌合部２０３ａ，２０３ｂと雌型嵌合部２１３ａ,２１３ｂの嵌合を外すには、まず、雄型カバー部材２０１および／または雌型カバー部材２１１に対して外力を加え、径方向において形状を変形させる、すなわち、径方向において互いに離す方向に動かす必要がある。
【００４４】
上記したように、この実施の形態に係る切欠き補強部材６０は、雄型部材７０と雌型部材８０とが、配管カバー２００における径方向に移動しないよう固定される。すなわち、雄型カバー部材２０１と雌型カバー部材２１１が径方向において互いに離れる方向に動くことを阻害できる。つまりは、雄型部材７０と雌型部材８０との係合により、雄型部材７０および雌型部材８０が動きを抑制される方向は、雄型嵌合部２０３ａと雌型嵌合部２１３ａとの嵌合を取り外し可能な方向である。その結果、切欠き２４０を設けて雄型嵌合部２０３ａと雌型嵌合部２１３ａとの嵌合強度が低下してしまうという問題を解消できる。
【００４５】
なお、雄型部７２および雌型部８２の形状は上記したものに限らず、雄型部材７０と雌型部材８０との係合を取り外す方向が、雄型嵌合部２０３と雌型嵌合部２１３との嵌合を取り外す方向と異なる態様となるその他の形状であってもよい。
【００４６】
この実施の形態に係る切欠き補強部材１３０は、雄型嵌合部２０３ａ，２０３ｂと雌型嵌合部２１３ａ,２１３ｂの各々を嵌合させた後、雄型部材２０および雌型部材３０の各
々を図９中に矢印で示す方向にスライドさせて互いに係合させることにより、配管カバー２００に対して取り付け完了となる。
【００４７】
なお、図１〜図８または図９〜図１１を用いて説明した実施の形態では、雄型部２２は配管カバー２００における径方向の外側に向かう方向に延在する形状またはＬ型の形状であり、雌型部３２は、このような雄型部２２に係合する形状である場合について説明したが、これに限らず、雄型部２２と雌型部３２が互いに係合できる形状であれば、その他の形状であってもよい。
【００４８】
なお、図１〜図８および図９〜図１１を用いて説明した実施の形態では、雄型部材２０，７０が雄型部２２，７２を有し、雌型部材３０，８０が雄型部２２，７２と係合する雌型部３２，８２を有する場合について説明した。しかしながら、これに限らず、切欠き補強部材を構成する第１部材と第２部材との各々が、雄型部および雌型部の両方を備えるようにし、第１部材の雄型部と第２部材の雌型部が係合するとともに、第２部材の雌型部と第１部材の雄型部が係合するように構成してもよい。
【００４９】
たとえば、再び図３の雄型部材２０の平面図を参照して説明すると、雄型部２２ａ，２２ｂの図中下側半分ほどを雄型部とし、上側半分ほどを雌型部とする部材２つから構成される切欠き補強部材であってもよい。すなわち、１つの外方向部材の各々が雄型部２２および雌型部３２の両方を有する構成とする。このように切欠き補強部材を構成した場合の効果について、図１を用いて説明する。
【００５０】
再び図１を参照して、上記したように、雄型嵌合部２０３ａと雌型嵌合部２１３ａとの嵌合を取り外す場合は、まず、雄型カバー部材２０１を径方向の外側に向かって変形させることにより雄型嵌合部２０３ａを図中手前側に動かすか、あるいは、雌型カバー部材２１１を径方向の内側に向かって変形させることにより雌型嵌合部２０４ａを図中奥側に動かす必要がある。
【００５１】
ここで、図１〜図８を用いて説明した実施の形態の雄型部材２０を雄型カバー部材２０１の切欠きに取り付けるとともに、雌型部材３０を雌型カバー部材２１１の切欠きに取り付けて雄型部２２と雌型部３２を互いに係合させることにより、上記した雄型カバー部材２０１を径方向の外側に向かって変形させること、すなわち径方向の外側に向かって動かすこと、および雌型カバー部材２１１を径方向の内側に向かって変形させること、すなわち径方向の内側に向かって動かすことを阻害できる。その結果、切欠き２４０を設けることによる雄型カバー部材２０１と雌型カバー部材２１１の嵌合強度の低下を防止できる。
【００５２】
しかしながら、作業者が誤って、雄型部材２０を雌型カバー部材２１１の切欠きに取り付けるとともに、雌型部材３０を雄型カバー部材２０１の切欠きに取り付けてしまった場合を考える。この場合において、雄型部２２と雌型部３２を係合させても、上記した雄型カバー部材２０１および雌型カバー部材２１１の変形を阻害できない。すなわち、切欠き２４０を設けることによる雄型カバー部材２０１と雌型カバー部材２１１の嵌合強度の低下を防止できない。
【００５３】
そこで、上記したように、１つの外方向部材の各々が雄型部２２および雌型部３２の両方を有する構成とする。こうすることにより、第１部材および第２部材を、雄型カバー部材２０１の切欠き、雌型カバー部材２１１の切欠きのどちらに取り付けたとしても雄型カバー部材２０１と雌型カバー部材２１１の嵌合強度の低下を防止できる。
【００５４】
次に、図１２〜図１５を用いて、この発明のさらに他の実施の形態に係る切欠き補強部材について説明する。なお、図１〜図８および図９〜図１１を用いて説明した実施の形態と同一の部分には同じ参照番号を付し、同様となる説明は省略する。図１２は、この実施の形態に係る切欠き補強部材１３０を構成する一方側部材１７０と他方側部材１８０が互いに係合される前の状態を示す、先の実施の形態における図６および図９に対応する切欠き補強部材１３０周辺の斜視図である。また、図１３は、一方側部材１７０と他方側部材１８０が互いに係合された状態を示す、先の実施の形態における図７に対応した図である。
【００５５】
図１２および図１３を参照して、この実施の形態に係る切欠き補強部材１３０は、開口１４０を有する。この開口１４０は、配管カバー２００における径方向の外側に向かう方向（カバー部材の外方向）に立ち上がる開口壁１４１の配管カバーにおける径方向の内側に形成されるものである。そして、配管カバー２００における径方向の外側から見て、開口壁１４１の、配管カバー２００における径方向の内側の、配管カバー２００における長手方向の両端部には、固定部材Ｆを挟持するための挟持部材２１０が設けられる。この実施の形態に係る切欠き補強部材１３０は、このような挟持部材２１０で固定部材Ｆを挟持することにより、配管カバー２００のぐら付きを抑制することができる。
【００５６】
この実施の形態に係る切欠き補強部材１３０は、一方側部材１７０および他方側部材１８０により構成される。一方側部材１７０は、配管カバー２００における長手方向の両端部において設けられ、配管カバー２００の径方向の外側に向かう方向（カバー部材の外方向）に延在する外方向部材１７２ａ，１７２ｂを有する。なお、一方側部材１７０と他方側部材１８０の形状はと同じであるため、ここでは他方側部材１８０の説明を省略する。
【００５７】
この実施の形態では、雄型カバー部材２０１と雌型カバー部材２１１を、図１３中に白抜き矢印で示す方向、すなわち互いに近づく方向に動かして嵌合させた状態において、一方側部材１７０の外方向部材１７２と他方側部材１８０の外方向部材１８２が当接し、各々の有するボルト孔１７３，１８３が連通する。この連通したボルト孔１７３，１８３にボルト１９０ａ，１９０ｂが通され、ナット１９１ａ，１９１ｂと螺合されることにより、一方側部材１７０および他方側部材１８０が係合される。なお、この実施の形態では、切欠き補強部材１３０を構成する一方側部材１７０および他方側部材１８０は、鉄などの剛性を有する物質で形成されることが好ましい。
【００５８】
そして、この状態のとき図１３で示すように、開口１４０の、配管カバー２４０における径方向の内側において設けられる挟持部材２１０により、固定部材Ｆが挟持される。こうすることにより、配管カバー２００のぐら付きを抑制することができる。
【００５９】
図１４は、この実施の形態に係る一方側部材１７０を、配管カバー２００における長手方向の中央付近で切断した断面図であり、先の実施の形態における図２および図１０に対応する図である。また、図１５は、図１４のＸＶ−ＸＶ矢視図、すなわち一方側部材１７０の平面図である。図１２〜図１５を参照して、この実施の形態に係る切欠き補強部材１３０は、配管カバー２００における長手方向の両端部に、外面周方向部材１７１ａ，１７１ｂが設けられる。一方側部材１７０の外方向部材１７２ｂは、配管カバー２００における径方向の外側に向かう方向に延在し、延在した先端部の近傍にボルト孔１７３ｂを有する。なお、もう一方の外方向部材１７２ａについても同様である。
【００６０】
また、外方向部材１７２ａ，１７２ｂの、配管カバー２００における長手方向の間において、内面周方向部材１７７が設けられる。内面周方向部材１７７は、配管カバー２００における径方向の内側に向かって延在する接続部１７８の下端部に接続される。
【００６１】
すなわち、外面周方向部材１７１ａ，１７１ｂと、内面周方向部材１７７とは、配管カバー２００における長手方向において重ならず一列に並んだ状態であり、且つ配管カバー２００における長手方向の一方側から見ると、配管カバー２００の周方向に延在し、外面周方向部材１７１および内面周方向部材１７７と平行な溝１７５が形成される。
【００６２】
切欠き２０４の周方向の端部に対して、この溝１７５を挿入することにより、一方側部材１７０を固定することができる。また、一方側部材１７０の外方向部材１７２ａ，１７２ｂの間には、開口１７９が設けられる。この開口１７９は、外方向部材１７２ａ，１７２ｂの間において、配管カバー２００における径方向の外側に向かう方向（カバー部材の外方向）に立ち上がる開口壁１４１を設けることにより形成されるものである。
【００６３】
そして、開口１４０の、配管カバー２４０における径方向の内側において、固定部材Ｆを挟持するための一方側挟持部材２２０が設けられる。一方側挟持部材２２０は、開口壁１７６の近傍から、他方側部材１８０に向かう方向、且つ配管カバー２２０における長手方向に向かって延在し、配管カバー２２０における周方向の外側に撓むことができるように湾曲した形状である。この一方側部材１７０の一方側挟持部材２２０と、図示しない他方側部材１８０の他方側挟持部材２３０とにより、固定部材Ｆを挟持する。なお、図１５で示すように、一方側挟持部材２２０（および他方側挟持部材２３０）は、外方向部材１７２（または他方側挟持部材１８２）と一体的に形成されてもよい。
【００６４】
なお、この実施の形態に限らず、開口１４０の周囲を、弾性を有するゴムなどで構成することにより、切欠き補強部材１０により固定部材Ｆを挟み込んでもよい。
【００６５】
なお、上記した実施の形態では、各々が、雄型カバー部材２０１および雌型カバー部材２１１を両端部に有する半円筒状の２分割された部材により配管カバー２００が構成される場合について説明したが、これに限らず、その他の構成であってもよい。たとえば、一枚の板状であって、長手方向に延在し、相互に嵌合可能な１つの嵌合部を有する構成であってもよい。
【００６６】
なお、上記した実施の形態では、配管カバー２００が円筒形状である場合について説明したが、これに限らず、たとえば、中空の直方体形状などの配管Ｐを囲繞できる形状であれば、その他の形状であってもよい。
【００６７】
なお、上記した実施の形態では、切欠き補強部材１０は、配管Ｐを囲繞する配管カバー２００の雄型嵌合部２０３および雌型嵌合部２１３の切欠き２４０に設けられる場合について説明したが、これに限らず、嵌合部以外の切欠きに設けられてもよい。
【００６８】
なお、上記した実施の形態では、切欠き２０４，２１４の周方向端部に対して、溝２５，３５または１７５，１８５を各々挿入することにより、雄型部材２０，７０、雌型部材３０，８０または一方側部材１７０、他方側部材１８０を固定する場合について説明したが、これに限らず、その他の方法で固定されてもよい。
【００６９】
なお、上記した実施の形態では、雄型部材２０を第１部材、雌型部材３０を第２部材として説明したが、これに限らず、雄型部材２０を第２部材、雌型部材３０を第１部材としてもよい。
【００７０】
また、上記実施の形態においては、切欠き補強部材１０の寸法などについて特に規定しなかったが、通常の固定部材Ｆの寸法に合わせたものから、異なる複数の切欠き２４０の寸法に合わせることができるように寸法の異なる開口４０を有する複数の切欠き補強部材１０をセットにしてもよい。
【００７１】
次に、この発明のさらに他の実施の形態について説明する。図１６は、この実施の形態における切欠き補強部材５０を示す図である。これまでの実施の形態においては、切欠き補強部材は、それぞれが異なる形状を有する雄型部材と雌型部材、または、同一形状であればボルトのような別部材を用いるように構成されていたが、この実施の形態においては、開口を挟む長手方向において非対称の同一の補強部材を２つ組み合わせて切欠き補強部材を構成する。
【００７２】
図１６（Ａ）は同一の補強部材５０ａおよび５０ｂを組み合わせて切欠き補強部材を構成したときの、両者を接続する前の平面図であり、図１６（Ｂ）は図１６（Ａ）において矢印で示す方向に移動して両者を接続した状態を示す平面図である。図１６（Ｃ）は図１６（Ａ）において、矢印ＸＶＩＣ-ＸＶＩＣで示す部分の矢視図であり、図１６（Ｄ）は両者を接続した状態を示す図１６（Ｃ）に対応する図であり、図１６（Ｅ）は図１６（Ａ）において、矢印ＸＶＩＥ-ＸＶＩＥで示す部分の矢視図であり、図１６（Ｆ）は図１６（Ａ）において、矢印ＸＶＩＦ-ＸＶＩＦで示す部分の矢視図であり、図１６（Ｇ）は図１６（Ｂ）において、矢印ＸＶＩＧ-ＸＶＩＧで示す部分の矢視図である。
【００７３】
ここでは、理解の容易のために、配管カバー等については図示を省略している。
【００７４】
図１６（Ａ）、図１６（Ｃ）、図１６（Ｅ）および図１６（Ｆ）を参照して、この実施の形態に係る補強部材５０は、先の実施の形態と同様に、外面周方向部材５１、内面周方向部材５７、および、両者を接続する接続部５８を有し、その間には、外面周方部材５１および内面周方向部材５７に平行な長手の溝５５が形成される。なお、図では外面周方向部材５１より内面周方向部材５７の方が長くなっているが、これは等しくてもよい。
【００７５】
この実施の形態においては、補強部材５０の長手方向（図において上下方向）の両端部の形状が、相互に係合可能な形状となっている点で、他の実施の形態と異なっている。
【００７６】
図１６（Ａ）に示すように、補強部材５０（ここでは、右側の補強部材５０ａについて説明する）は平面的に見て「コ」の字状であり、中央部に開口５９を有する。この開口５９を挟んで補強部材５０の一方端側（図中下側）端部には外面周方向部材５１に連続して同一厚さでその内側（係合する他方の補強部材５０ｂが設けられる側、図中左側）に第１内側部材５２が設けられ、第１内側部材５２の内側端部には上方向に突出する突起部５２ａが設けられている。この突起部５２ａは三角形状で内側がなだらかで、外側が鋭角に立ち上がって両者が鋭角に交わっているのが好ましい（図１６（Ｃ）参照）。
【００７７】
また、第１内側部材５２の開口５９側に間隔をあけて、第１内側部材５２よりも幅が狭く、その内側への突出量がほぼ同じ第２内側部材５３が設けられている。この第２内側部材５３には開口５９に沿って上方向に突出した、平面視でＬ字状の壁５６が設けられている。
【００７８】
開口５９を挟んで補強部材５０の他方端側には外面周方向部材５１に連続して同一厚さでその内側（図中左側）に第３内側部材５４が設けられる。第３内側部材５４は、外面周方向部材５１からまず斜め上方向に、その後外面周方向部材５１と同様の曲率で延在する。この第３内側部材５４の端部には下部へ突出する突起部５４ａが設けられる。この突起部５４ａは三角形状で外側が斜め下方向に、内側が鋭角に立ち下がって両者が鋭角に交わっているのが好ましい（図１６（Ｃ）参照）。
【００７９】
また、この開口５９側に間隔をあけて、第３内側部材５４よりも幅が狭く、その内側への突出量が少ない第４内側部材６２が設けられている。第４内側部材６２は外面周方向部材５１と同様の曲率で延在する。この第４内側部材６２には開口５９に沿って上方向に突出し、平面視でＬ字状の壁６１が設けられている。ここで、Ｌ字状の壁６１と５６との高さは同じであるが、壁６１の内側への突出量は壁５６の突出量の約半分である（図１６（Ｆ）参照）。
【００８０】
また、図１６（Ａ）〜（Ｇ）に示すように、第３内側部材５４が第１内側部材５２の上端部を覆い、かつ、第３内側部材５４の下方への突起部５４ａが第１内側部材５２の上方への突起部５２ａと係合し、第２内側部材５３が第４内側部材６２の上部に重なるようにそれぞれの高さおよび形状が設定されている。
【００８１】
これによって、図１６（Ｂ）に示すように両補強部材５０ａ，５０ｂが係合した時は、手前から、第１内側部材５２が第３内側部材５４の上に、第４内側部材６２が第２内側部材５３の上に、開口５９を挟んで第４内側部材６２が第２内側部材５３の上に、第１内側部材５２が第３内側部材５４の上にというように、順に上から抑える側が異なるため、両者の上下方向（図１６（Ｂ）において、図面に垂直な方向）への分離を防ぐことができる。
【００８２】
また、高さ方向においては、図１６（Ｃ）や図１６（Ｅ）に示すように、第２内側部材５３の高さと、第３内側部材５４の高さとがほぼ同じ高さに設定されているため、補強部材５０ａと５０ｂとを組み合わせた後は、これらが図１６（Ｂ）において長手方向（図１６（Ｂ）において白抜き矢印で示す方向）で当接するため、これらが長手方向に移動することはない。
【００８３】
さらに、補強部材５０ａ，５０ｂがそれぞれ、係合方向に対向する方向の壁５６と６１とを有するため、両者を係合させる場合にこれらの壁５６,６１相互に引き寄せるのが容易になる。
【００８４】
なお、この実施の形態においては、開口を挟む長手方向において相互に係合可能な非対称の係合部を有する同一の補強部材を2つ組み合わせて切欠き補強部材を構成したが、この実施の形態以外の実施の形態においても、開口を挟む長手方向において相互に係合可能な非対称の係合部として、雄型部材と雌型部材とを設けるようにし、同一形状の補強部材を２つ組み合わせた補強部材としてもよい。
【００８５】
以上、図面を参照してこの発明の実施形態を説明したが、この発明は、図示する実施形態のものに限定されない。図示された実施形態に対して、この発明と同一の範囲内において、あるいは均等の範囲内において、種々の修正や変形を加えることが可能である。
【符号の説明】
【００８６】
Ｆ  固定部材、Ｐ  配管、１０，２０，５０、１３０  補強部材、２０，７０  雄型部材、３０，８０，１８０  雌型部材、２１，３１，５１，１７１  外面周方向部材、２２，７２  雄型部、２５，３５，８５，１７５，１８５  溝、２７，３７，５７，１７７，１８７  内面周方向部材、２８，３８，５８，１７８，１８８  接続部、２９，３９，４０，１４０，１７９，１８９  開口、３２，７２  雌型部、５２  第１内側部材、５３  第２内側部材、５４  第３内側部材、５５  第４内側部材、５６，６１  壁、５９  開口、８３  上部周方向部材、８４  下部周方向部材、１４１，１７６，１８６  開口壁、２１０  挟持部材、２２０  一方側挟持部材、２３０  他方側挟持部材、１７０  一方側部材、１７３，１８３  ボルト孔、１８０  他方側部材、１７２，１８２  外方向部材、１９０  ボルト、１９１  ナット、２００  配管カバー、２０１  雄型カバー部材、２０３  雄型嵌合部、２１１  雌型カバー部材、２１３  雌型嵌合部。
【図１】
2015158265.tif 000003
【図２】
2015158265.tif 000004
【図３】
2015158265.tif 000005
【図４】
2015158265.tif 000006
【図５】
2015158265.tif 000007
【図６】
2015158265.tif 000008
【図７】
2015158265.tif 000009
【図８】
2015158265.tif 000010
【図９】
2015158265.tif 000011
【図１０】
2015158265.tif 000012
【図１１】
2015158265.tif 000013
【図１２】
2015158265.tif 000014
【図１３】
2015158265.tif 000015
【図１４】
2015158265.tif 000016
【図１５】
2015158265.tif 000017
【図１６】
2015158265.tif 000018